(57)【要約】      （修正有）【課題】センシング機器の実質的な厚みの増大を招来することなく箱形筐体の側部に簡易に、しかも強固にフィルタアタッチメントを装着することのできるアタッチメント取付構造を提供する。【解決手段】センシング機器１の側部に設けられたセンシング窓３を覆って設けられるファイルアタッチメント３０を、その中央部に所定の光学フィルタ５を装着すると共に該フィルタ部品の両側に延在させたバネ板３１の一端部を折曲し、この折曲部の先端に外側に向けて弾性偏倚された爪部３６を形成する。また前記センシング機器ににおけるセンシング窓３の側部近傍に前記フィルタアタッチメントの爪部に係合する係合溝４１を設けると共に、前記センシング窓を挟んで上記係合溝とは反対側には前記フィルタアタッチメントの他端部をねじ止めするねじ溝４２を設ける。【選択図】      図２
2004327535.tif 000002
【特許請求の範囲】
【請求項１】
側部にセンシング窓を設けたセンシング機器と、上記センシング窓を覆って前記センシング機器に取り付けられるファイルアタッチメントとからなり、
前記フィルタアタッチメントは、フィルタ部品と、中央部に上記フィルタ部品を装着して該フィルタ部品の両側に延在するバネ板と、このバネ板の一端部を折曲して形成されて外側に向けて弾性偏倚された爪部とを有し、
前記センシング機器は、前記センシング窓の側部近傍に設けられて前記フィルタアタッチメントの爪部に係合する係合溝と、前記センシング窓を挟んで上記係合溝とは反対側に設けられて前記フィルタアタッチメントの他端部をねじ止めするねじ溝とを備えることを特徴とするアタッチメント取付構造。
【請求項２】
前記センシング機器は、薄型の箱型筐体における幅狭の側部先端に光を透過するセンシング窓を形成すると共に、前記箱型筐体に上記センシング窓を介してセンシング光を投光および／または受光する光センシング機器本体を内蔵したものからなり、
前記フィルタ部品は光学フィルタであって、この光学フィルタを装着した前記バネ板は、前記係合爪とは反対側の端部を前記箱型筐体の先端部に沿って延在させてその先端部にねじ止め用の孔または溝を形成したものからなる請求項１に記載のアタッチメント取付構造。
【請求項３】
側部にセンシング窓を設けたセンシング機器と、上記センシング窓を覆って前記センシング機器に取り付けられるファイルアタッチメントとからなり、
前記フィルタアタッチメントは、フィルタ部品と、中央部に上記フィルタ部品を装着して該フィルタ部品の両側に延在するバネ板と、このバネ板の両端部をそれぞれ折曲して形成されて外側に向けて弾性偏倚された第１および第２の爪部とを有し、
前記センシング機器は、前記センシング窓の両側部近傍に設けられて前記フィルタアタッチメントの各爪部にそれぞれ係合する第１および第２の係合溝を備えることを特徴とするアタッチメント取付構造。
【発明の詳細な説明】
【０００１】
【発明の属する技術分野】
本発明は、光学式エッジセンサ等のセンシング機器におけるセンシング窓に、光学フィルタ等のフィルタアタッチメントを取り付けるに好適なアタッチメント取付構造に関する。
【０００２】
【関連する背景技術】
光学式エッジセンサ等のセンシング機器１は、通常、図５に示すような薄型の箱型筐体２の内部に投光器および／または受光器を備えたセンシング機器本体（図示せず）を組み込み、上記箱形筐体２における幅狭の側部先端に光を透過するセンシング窓３を形成した構造を有する。そして前記センシング機器本体から発せられる所定の光を上記センシング窓３を介して外部のセンシング領域に投光したり、或いはセンシング領域を経た光を上記センシング窓３を介して受光するように構成される。尚、図中４は、箱型筐体２の後端部から導出されて外部機器（図示せず）に接続される前記センシング機器本体からの信号線や電源線等を含む接続ケーブルである。
【０００３】
このようなセンシング機器１の上記センシング窓３を覆って光学フィルタを取り付ける場合、専ら、光学フィルタ５を組み込んだフィルタアタッチメント６を準備し、このフィルタアタッチメント６を前記箱形筐体２に装着するようにしている。ちなみにフィルタアタッチメント６は、箱形筐体２における幅狭の側部に嵌め込まれる断面コ字状の枠体７の中央部に光学フィルタ５をかしめ等によって装着した構造を有し、枠体７の側縁部に設けた係合孔８に前記箱形筐体２に突設した突起９を嵌合させることで、該箱形筐体２に装着される。尚、このような係合孔８と突起９との係合（嵌め合い）による部品の取付構造については、例えば箱形筐体に対する前面パネルの取り付け構造として知られている（例えば特許文献１を参照）。
【０００４】
【特許文献１】
特開平９−１１６２８１号公報
【０００５】
【発明が解決しようとする課題】
しかしながらこのような構造のフィルタアタッチメント６をセンシング機器１に取り付けた場合、図６にその平面図を示すようにセンシング機器１としての実質的な厚みＤが箱形筐体２の厚みｄよりも厚くなることが否めない。即ち、箱形筐体２に設けた突起９の高さ、若しくは枠体７の厚みの２倍に相当する分、センシング機器１としての実質的な厚みＤが厚くなる。このような厚みの増大は、厚み寸法に大きな制約が課せられているこの種のセンシング機器１にとって好ましからぬものである。
【０００６】
そこで図７に示すように、比較的寸法に対する制約の緩い箱形筐体２の前述したセンシング窓３を設けた側にフィルタアタッチメント６をねじ１０を用いてねじ止め固定することが考えられる。しかしながら箱形筐体２にフィルタアタッチメント６をねじ止めするには、該箱形筐体２に予めねじ孔２ａを設けておく必要があるにも拘わらず、実際の製品においては箱形筐体２の内部における光学的空間を最大限に確保しながら、その全体形状のコンパクト化が図られているので、ねじ孔２ａを設ける場所を確保すること自体が困難であると言う問題がある。特にセンシング窓３は、箱形筐体２の側部における先端側に可能な限り近付けて設けられるので、該箱形筐体２の側部先端にねじ孔２ａを設けることが困難であった。
【０００７】
本発明はこのような事情を考慮してなされたもので、その目的は、センシング機器の実質的な厚みの増大を招来することなく箱形筐体２の側部に簡易に、しかも強固にフィルタアタッチメントを装着することのできるアタッチメント取付構造を提供することにある。
【０００８】
【課題を解決するための手段】
上述した目的を達成するべく本発明に係るアタッチメント取付構造は、側部にセンシング窓を設けたセンシング機器に、上記センシング窓を覆ってファイルアタッチメントを取り付けるに好適な構造であって、
前記フィルタアタッチメントを、その中央部に所定のフィルタ部品を装着すると共に該フィルタ部品の両側に延在させたバネ板の一端部を折曲し、この折曲部を外側に向けて弾性偏倚された爪部として形成したものとし、
一方、前記センシング機器には、前記センシング窓の側部近傍に前記フィルタアタッチメントの爪部に係合する係合溝を設けると共に、前記センシング窓を挟んで上記係合溝とは反対側には前記フィルタアタッチメントの他端部をねじ止めするねじ溝を設けたことを特徴としている。
【０００９】
好ましくは前記センシング機器は、薄型の箱型筐体における幅狭の側部先端に光を透過するセンシング窓を形成すると共に、前記箱型筐体に上記センシング窓を介してセンシング光を投光および／または受光する光センシング機器本体を内蔵したものからなり、前記フィルタ部品は光学フィルタであって、この光学フィルタを装着した前記バネ板を、前記係合爪とは反対側の端部を前記箱型筐体の先端部に沿って延在させてその先端部にねじ止め用の孔または溝を形成したものとして構成する。
【００１０】
このような構造であれば、フィルタアタッチメントにおけるバネ体の一端部を折曲して形成した爪部をセンシング機器の係合溝に嵌め込み、該爪部の弾性偏倚力により上記係合溝に係合させた状態で、上記ばね体の他端部をセンシング機器にねじ止めするだけで、該フィルタアタッチメントをセンシング機器に強固に装着することが可能となる。しかもフィルタアタッチメントは、センシング機器の側部に沿って設けられるだけなので、該センシング機器の厚み方向にはみ出すことなく、その装着を行い得る。
【００１１】
また本発明に係るアタッチメント取付構造は、前記フィルタアタッチメントを、その中央部に所定のフィルタ部品を装着すると共に該フィルタ部品の両側に延在させたバネ板の両端部をそれぞれ折曲し、これらの曲折部をそれぞれ外側に向けて弾性偏倚された第１および第２の爪部として形成したものとし、一方、前記センシング機器には、前記センシング窓の両側部近傍に前記フィルタアタッチメントの各爪部にそれぞれ係合する第１および第２の係合溝を設けたことを特徴としている。
【００１２】
このような構造であってもフィルタアタッチメントをセンシング機器に対して簡易に、しかも強固に装着することが可能となる。しかもフィルタアタッチメントセンシング機器の側部に沿って設けられるだけなので、該センシング機器の厚み方向にはみ出すことがなく、その装着を簡易に行い得る。
【００１３】
【発明の実施の形態】
以下、図面を参照して本発明の実施形態に係るアタッチメント取付構造について説明する。
図１はセンシング機器１とフィルタアタッチメント１１との関係を示す斜視図であり、図２はセンシング機器１に対するフィルタアタッチメント１１の装着構造を示す部分断面図である。尚、ここではセンシング機器１として、発光ダイオード等の投光器２１から発せられた光を反射鏡２２を用いて略直角方向に反射させ、この光をレンズ２３を介して前記箱形筐体２の側部に設けたセンシング窓３から投光する投光ユニットを例に説明する。しかしセンシング窓３を介して受光される光を上記レンズ２３から反射鏡２２を介して受光器２５に導く受光ユニットであっても良いことは言うまでもない。また同一光路上に投光系と受光系とを形成して前記センシング窓３を介して光を入出力するセンシング機器であっても良い。
【００１４】
即ち、センシング装置１は、薄型の箱形筐体１の内部に投光器２１や受光器２５等からなるセンシング装置本体を組み込んだものであり、特に投光器２１または受光器２５からセンシング窓３までの光路長を長く設定するべく、箱形筐体１の先端側に反射鏡２２を設け、この反射鏡２２にてその光軸を略直角に折り曲げた光路を形成している。そして反射鏡２２とセンシング窓３との間にレンズ２３を設けることで、センシング窓３を介して入出力される光を所定幅の平行光としている。特に反射鏡２２を箱形筐体１の先端部側に設けることで前記センシング窓３を箱形筐体１の側部先端に位置付け、これによって全体形状のコンパクト化を図った構造を有する。
【００１５】
このような構造のセンシング機器１に前記センシング窓３を覆って取り付けられる本発明に係るフィルタアタッチメント３０は、図１に示すように厚みが１〜３ｍｍ程度の板状の光学フィルタ５をその中央部に取り付けたバネ板３１を主体として構成される。バネ板３１は、厚みが０．１〜０．５ｍｍの燐青銅またはステンレス鋼からなるもので、板面中央部に上記光学フィルタ５が嵌め込まれる四角形状の孔３２を有している。光学フィルタ５はこの孔３２に嵌め込まれ、その周辺部を接着またはかしめることによりバネ板３１に一体化される。
【００１６】
さて上記バネ板３１は、上記光学フィルタ５の長手方向の両側にそれぞれ延在する装着片部３３，３４を有している。一方の装着片部３３は前記センシング機器１の先端部に沿うように折曲されており、その先端部には所定径のねじ孔３５が設けられている。また他方の装着片部３４は、上記装着片部３３と同じ向きに略６０°の角度で折曲されており、更にその先端部は逆向きに折曲されて爪部３６として形成されている。この爪部３６は、装着片部３４の曲折部における弾性力を以て外側に向けて弾性偏倚されている。この爪部３６については、１個であっても良いが、後述するように複数個横並びに形成したものであっても良い。
【００１７】
一方、前記センシング機器１の箱形筐体２には、前記センシング窓３の側部に位置して前記フィルタアタッチメント３０の爪部３６が係合する係合溝４１が形成され、また箱形筐体２の先端部の前記ねじ孔３４に対峙する位置にはねじ溝４２が形成されている。上記係合溝４１は、底部を大きく拡げて、その壁面に段差を形成したもので、この段差部に前記爪部３６の先端部を掛け止めして係止する構造を有している。ちなみに係合溝４１は、箱形筐体２における前述したレンズ２３を収納する部位と、上記箱形筐体２の後端側の図示しない電気回路基板等を収納する部位とを隔離する肉厚部分に設けられる。また前記ねじ溝４２は、前記箱形筐体２における前述した反射鏡２２の裏面側のデッドスペースを利用して設けられる。この結果、箱形筐体２における光学系等の配置を変更することなく、フィルタアタッチメント３０を取り付けるための係合溝４１とねじ溝４２とがそれぞれ設けられている。
【００１８】
このようなセンシング機器１の箱形筐体２に対するフィルタアタッチメント３０の取り付けは、図２に示すように係合溝４１に爪部３６を差し込み、バネ板３１の装着片部３３を箱形筐体２の先端部に位置付けて前記ねじ孔３４を通して前記ねじ溝４２にねじ４３を螺合することによってなされる。これによってバネ板３１に支持された光学フィルタ５は、センシング窓３の上面に位置付けられる。
そして爪部３６は係合溝４１の開口縁部を支点として上方に持ち上げられ、図３（ａ）に示すように該係合溝４１の壁面に形成された段差部に下側から係合し、所定の弾性力を以て上記段差部に圧接される。この結果、フィルタアタッチメント３０は、センシング機器１のセンシング窓３を覆って箱形筐体２の側部から先端部に掛けて装着され、前述した爪部３６と係合溝（段差部）４１との係合、およびねじ溝４２に螺合したねじ４３により強固に固定される。
【００１９】
尚、このフィルタアタッチメント３０のセンシング機器１からの取り外しは、前述したねじ４３を取り外し、図２に仮想線で示すようにバネ板３１の装着片部３３を持ち上げて係合溝４１から爪部３６を引き抜くようにすれば良い。或いは図３（ｂ）に示すように前記係止溝４１に押さえ棒４５を挿入して装着片部３４を撓ませ、これによって爪部３６と係合溝（段差部）４１との係合を解除して該爪部３６を係合溝４１から引き抜くことも可能である。
【００２０】
かくして上述したアタッチメントの取付構造によれば、バネ板３１の一方の装着片部３４に形成した爪部３６を係合溝４１の段差部に係合させ、他方の装着片部３３を箱形筐体２の先端部にねじ止めする構造なので、フィルタアタッチメント３０を、簡易に、しかも強固にセンシング機器１に取り付けることができる。
特に爪部３６を弾性偏倚させて係合溝４１の段差部に係合させているので、いわゆるガタツキのない状態で安定に装着することができる。
【００２１】
また上述した構造であれば、センシング機器１における箱形筐体２の側面から先端面に掛けて延びるバネ板３１が設けられるだけであり、該バネ板３１が箱形筐体２の側面からその幅方向にはみ出すことがないので、センシング機器１の実質的な厚みが増大することもない。しかも係合溝４１とねじ溝４２が、前述したようにそれぞれ箱形筐体２のデッドスペースを利用して形成されるだけなので、箱形筐体２を大きくする必要もない等の効果がある。
【００２２】
尚、本発明は上述した実施形態に限定されるものではない。例えば前述した実施形態においては、バネ板３１の一方の装着片部３３をねじ止めする構造としたが、図４に示すようにこの装着片部３３の先端部にも爪部３７を形成しておき、箱形筐体２の先端部に形成した係合溝４５に係合させるようにしても良い。即ち、バネ板３１の両端部にそれぞれ弾性偏倚された爪部３６，３７を形成し、これらの爪部３６，３７を係合溝４１，４５にそれぞれ係合させてフィルタアタッチメント３０の装着を行うようにしても良い。
【００２３】
またバネ板３１の幅については、箱形筐体２の厚みｄよりも僅かに狭いものとしておけば十分であり、その厚みについても所定の弾性力を確保できる程度であれば十分である。またここでは光学式のセンシング機器１に光学フィルタ５を装着する例について説明したが、センシング機器１が流量センサ等である場合には、そのセンシング部位にゴミ除けのメッシュフィルタを装着する場合にも同様に適用することができる。また爪部３６，３７については、それぞれ１個であっても良いが、複数個並べて設け、これらの爪部に対応して係合溝４１，４５を設けるようにしても良い。具体的には爪部３６を装着片部３３の縁部に沿って２個設け、これらの爪部３６がそれぞれ嵌め込まれる係止溝４１を箱形筐体２の側部における幅方向の端部にそれぞれ設けるようにしても良い。このようにすれば各係止溝に４１それぞれ爪部３６を係合させた装着片部３３の横ずれ（箱形筐体２の厚み方向のずれ）を確実に防止することが可能となり、そのガタツキをより確実に防止することが可能となる。その他、本発明はその要旨を逸脱しない範囲で種々変形して実施することができる。
【００２４】
【発明の効果】
以上説明したように本発明によれば、センシング機器の実質的な厚みの増大を招来することなしに該センシング機器のセンシング窓を覆ってフィルタアタッチメントを簡易に、しかもガタツキなく安定に装着することができる。しかもセンシング機器における箱形筐体のデッドスペースを有効に活用してフィルタアタッチメントを簡易に取り付けることが可能となる等の利点がある。
【図面の簡単な説明】
【図１】本発明の一実施形態に係るアタッチメント取付構造を説明するためのセンシング機器とフィルタアタッチメントとの関係を示す斜視図。
【図２】図１に示すセンシング機器に対するフィルタアタッチメントの取り付け状態を示す図。
【図３】図１に示すフィルタアタッチメントの爪部と、センシング機器に設けた係合溝との係合関係を示す図。
【図４】本発明の別の実施形態に係るアタッチメント取付構造を説明するためのセンシング機器に対するフィルタアタッチメントの取り付け状態を示す図。
【図５】従来の一般的なフィルタアタッチメントとセンシング機器との関係を示す斜視図。
【図６】図５に示すセンシング機器へのフィルタアタッチメントの取り付け状態を示す図。
【図７】フィルタアタッチメントのセンシング機器への別の取り付け状態を示す図。
【符号の説明】
１  センシング機器
２  箱形筐体
３  センシング窓
５  光学フィルタ
３１  バネ板
３３，３４  装着片部
３５  ねじ孔
３６，３７  爪部
４１，４５  係合溝
４２  ねじ溝
【図１】
2004327535.tif 000003
【図２】
2004327535.tif 000004
【図３】
2004327535.tif 000005
【図４】
2004327535.tif 000006
【図５】
2004327535.tif 000007
【図６】
2004327535.tif 000008
【図７】
2004327535.tif 000009